(57)【要約】【課題】バキューム部材の吸引が無力化されずにフィルタ部材で除去した綿ぼこりを吸引できるリント除去装置を提供する。【解決手段】フィルタ部材１４を回転ドラム５の下流側に配置して通過する空気の第１空気通路を形成すると共に、バキューム部材１５の開口面１５ａをフィルタ部材１４の空気流入面に近接して相対移動可能に配置し、フィルタ部材１４が除去した綿ぼこりを吸込んで捕集するリント捕集部２８を回転ドラム５の下流側に配置し、リント捕集部２８を通過する空気の第２空気通路を第１空気通路と別に形成し、ファン２０の直前に第１空気通路と第２空気通路の一方をファン２０の空気通路に連通し、他方の空気通路を遮断する切替え弁１８を設けた。【選択図】　図２
2004081717.tif 000002
【特許請求の範囲】
【請求項１】
周壁に多数の貫通孔が設けられた回転ドラムに洗濯された衣類を投入して回転させるとともに、回転ドラムの空気通路の出口に配置したファンを回転させて、ヒータからの熱い空気を多数の貫通孔から回転ドラムを通過させて衣類の乾燥を行う乾燥機において、
前記回転ドラムの空気に含まれるリント等の綿ぼこりを除去するフィルタ部材を前記回転ドラムの下流側に配置してフィルタ部材を通過する空気の第１空気通路を形成すると共に、バキューム部材の開口面を前記フィルタ部材の空気流入面に近接して相対移動可能に配置し前記フィルタ部材が除去したリント等の綿ぼこりを吸込んで捕集するリント捕集部を前記回転ドラムの下流側に配置しリント捕集部を通過する空気の第２空気通路を前記第１空気通路と別に形成し、前記ファンの直前に前記第１空気通路と第２空気通路の一方を前記ファンの空気通路に連通し、他方の空気通路を遮断する切替え弁を設け、フィルタ部材通過した空気とバキューム部材がフィルタ部材からの綿ぼこりを捕集してリント捕集部を通過した空気が別々の空気通路を通過して選択的に前記ファンの空気通路から外部に排出されるように構成したことを特徴とするリント除去装置。
【請求項２】
バキューム部材の開口面をフィルタ部材の空気流入面に近接して回転移動可能に設けたことを特徴とする請求項１に記載の乾燥機のリント除去装置。
【請求項３】
フィルタ部材の空気流入面を回転移動可能に設け、前記フィルタ部材の空気流入面に近接して配置される前記バキューム部材の開口面に対して相対移動可能としたことを特徴とする請求項１に記載の乾燥機のリント除去装置。
【請求項４】
バキューム部材の開口面をフィルタ部材の空気流入面に近接して平行移動可能に設けたことを特徴とする請求項１に記載の乾燥機のリント除去装置。
【発明の詳細な説明】
【０００１】
【発明の属する技術分野】
本発明は、洗濯された衣類を回転ドラム式乾燥機に投入して乾燥させるときに、乾燥機から発生するリント、ゴミ等を含む綿ぼこりの除去装置に関するものである。
【０００２】
【従来の技術】
回転ドラム式乾燥機は、洗濯脱水後の衣類を乾燥機に投入し、熱風を供給しながら衣類を回転して乾燥させている。このような回転ドラム式乾燥機のリント除去装置として、例えば特開平８−２４０３８６号公報に記載のリント除去装置が知られている。前記従来のリント除去装置は、空気通路の下流に排湿ファンを有し、該空気通路に空気に含まれるリント等の綿ぼこりを除去するフィルタ部材を配した乾燥機のリント除去装置において、一端が前記フィルタ部材が除去したリント等の綿ぼこりを吸引するバキューム部材をフィルタ部材に向って開口し他端がフィルタ部材の位置よりも下流側の空気通路に開口する綿ぼこり捕集空気通路と、綿ぼこり捕集空気通路に介装した綿ぼこり捕集部材とを有し、前記フィルタ部材と綿ぼこり捕集空気通路の吸引口の少くとも何れか１つを相対移動可能とした構成である。
【０００３】
上記従来の回転ドラム式乾燥機におけるリント除去装置は、フィルタ部材が乾燥機の空気出口に近接して設けられ、排湿ファンにより回転ドラムに熱風を供給して衣類を乾燥させるとともに、回転ドラム内の綿ぼこりをフィルタ部材で除去しながら、リント等の綿ぼこりを吸引するバキューム口をフィルタ部材に向って開口し、フィルタ部材で除去した綿ぼこりは吸引して捕集する。そして、バキューム口で吸引された空気とフィルタ部材を通過した空気は、共に綿ぼこりを除去されて合流し排湿ファンから外部に空気されるものである。
【０００４】
【発明が解決しようとする課題】
しかしながら、回転ドラム内の綿ぼこりをフィルタ部材で除去するための吸引方向とフィルタ部材で除去した綿ぼこりをバキューム口で吸引する方向は全くの逆方向であるため、回転ドラム内の綿ぼこりをフィルタ部材で除去しながら、フィルタ部材で除去した綿ぼこりをバキューム口で吸引すると、バキューム口の吸引に抗してフィルタ部材側では回転ドラム内の綿ぼこりを除去するための吸引が行れるため、バキューム口側の吸引が無力化されて弱められ、フィルタ部材に付着している綿ぼこりの吸引が十分にはできない。そこで、バキューム口に専用の吸引装置を設けてバキューム口の吸引力を強くすることも考えられるが、バキューム口に専用の吸引装置を設ける分だけコスト高となるため現実的でなく改善が望まれていた。
【０００５】
本発明は、バキューム部材の吸引が無力化されずにフィルタ部材で除去した綿ぼこりを吸引できるリント除去装置を提供することを目的とする。
【０００６】
【課題を解決するための手段】
請求項１記載の発明は、周壁に多数の貫通孔が設けられた回転ドラムに洗濯された衣類を投入して回転させるとともに、回転ドラムの空気通路の出口に配置したファンを回転させて、ヒータからの熱い空気を多数の貫通孔から回転ドラムを通過させて衣類の乾燥を行う乾燥機において、前記回転ドラムの空気に含まれるリント等の綿ぼこりを除去するフィルタ部材を前記回転ドラムの下流側に配置してフィルタ部材を通過する空気の第１空気通路を形成すると共に、バキューム部材の開口面を前記フィルタ部材の空気流入面に近接して相対移動可能に配置し前記フィルタ部材が除去したリント等の綿ぼこりを吸込んで捕集するリント捕集部を前記回転ドラムの下流側に配置しリント捕集部を通過する空気の第２空気通路を前記第１空気通路と別に形成し、前記ファンの直前に前記第１空気通路と第２空気通路の一方を前記ファンの空気通路に連通し、他方の空気通路を遮断する切替え弁を設け、フィルタ部材通過した空気とバキューム部材がフィルタ部材からの綿ぼこりを捕集してリント捕集部を通過した空気が別々の空気通路を通過して選択的に前記ファンの空気通路から外部に排出されるように構成したことを特徴とするリント除去装置である。
【０００７】
また、請求項２記載の発明は、バキューム部材の開口面をフィルタ部材の空気流入面に近接して回転移動可能に設けたものである。
【０００８】
また、請求項３記載の発明は、フィルタ部材の空気流入面を回転移動可能に設け、前記フィルタ部材の空気流入面に近接して配置される前記バキューム部材の開口面に対して相対移動可能としたものである。
【０００９】
また、請求項４記載の発明は、バキューム部材の開口面をフィルタ部材の空気流入面に近接して平行移動可能に設けたものである。
【００１０】
【発明の実施の形態】
以下、図面に基づいて本発明の実施の形態を説明する。図１は本発明に係る第１の実施の形態のリント除去装置が組込まれた回転ドラム式乾燥機の正面図、図２は図１のＡ−Ａ線での断面図、図３は図１のＢ−Ｂ線での断面図、図４は図２のバキューム部材を拡大した概略図である。
【００１１】
図１乃至図４において、回転ドラム式乾燥機１は、円形の窓２ａを有する片開きの開閉蓋２を前面の上部に有し、両片開きの保守用の一対の開閉扉３ａ，３ｂを前面の下部に有する筺体３の内部に外胴フレーム４が設けてあり、外胴フレーム４内に間隔をおいて、ステンレス鋼や硬質プラスチック等によって成形され多数の貫通孔５ａ，５ａ，…が形成された多孔板からなる回転ドラム５が回転自在に設けられている。回転ドラム５は、外胴フレーム４に対する内胴となるもので、前面に円形の投入口６を開口した有底円筒体を横置きした形状であり、洗濯された衣類を収容する。
【００１２】
筺体３の後面の外胴フレーム４には２つの軸受け部７ａ，７ｂを有する軸受け部材７が設けられており、回転ドラム５の後端面から後方に突出した軸５ｂを軸受け部材７の１つの軸受け部７ａに挿通して、回転ドラム５は外胴フレーム４に回転可能に支持され、軸受部７ａから突出した軸５ｂの先端にはプーリ８が固定されている。そして、軸受け部材７のもう１つの軸受け部７ｂには軸９が挿通し、軸９の両端にはプーリ９ａとプーリ９ｂが固定されており、プーリ９ａはプーリ８とベルトを介して連結され、プーリ９ｂは駆動モータ１０のプーリ１０ａにベルトを介して連結されている。本実施形態では、駆動モータ１０やプーリ８，９ａ、９ｂ，１０ａ及びこれらプーリ間を連結する各ベルト等が回転ドラム５の駆動手段として機能する。
【００１３】
回転ドラム５の内周壁には、図示しないが回転中に洗濯された衣類を引っ掛けて撹拌するための撹拌突起が軸方向に形成されている。この撹拌突起は、回転ドラム５の内周方向に沿って等角度で複数、例えば３〜６箇所に配置されて、洗濯された衣類の分離処理を促進する。この場合、駆動モータ１０をインバーター制御等により可変にすると、衣類の分離処理を効率良く行なうことができる。
【００１４】
外胴フレーム４は回転ドラム５に沿う円筒形外胴部４ａの上部が軸方向に開口して空気入口４ｂを構成し、外胴部４ａの下部が軸方向に開口して空気出口４ｃを構成している。空気入口４ｂの上部には電気発熱抵抗体或はガスバーナー等のヒータ１１ａ，１１ｂが設けられ、空気入口４ｂに熱い空気を供給できるようになっている。
【００１５】
また、空気出口４ｃの下流側の空気通路を塞ぐように外胴フレーム４の軸方向の中央は仕切り部材１２，１３で仕切ってあり、仕切り部材１３は回転ドラム５に接近した円孔１３ａを有し、この円孔１３ａに円形の網目フィルタ面１４ａを合致させてフィルタ部材１４が配置されている。フィルタ部材１４の裏側には第１空気通路となる空洞部１７が形成され、この空洞部１７の空気出口１７ｃには切替え弁１８が配置されている。切替え弁１８は図示しないがコイルばねで付勢されていて常時は図示の実線で示すＰ側に設定されており、ソレノイド３０の駆動により一点鎖線で示すＱ側に設定される。切替え弁１８の下流はファンモータ１９で回転するファン２０の空気通路２１となっており、切替え弁１８がＰ側に設定されて空気出口１７ｃを開放している状態では、空気出口１７ｃは空気通路２１に連通する。
【００１６】
また、フィルタ部材１４の円形の網目フィルタ面１４ａの空気流入面側には、バキューム部材１５の細長い開口面１５ａが近接して配置されている。バキューム部材１５には長穴１５ｂが形成され、この長穴１５ｂの周縁を囲んでブラシ１５ｃが環状に設けられている。バキューム部材１５の長穴１５ｂの底壁を貫通して吸引パイプ１６のＵ字状部分１６ａの先端が連結されて吸引パイプ１６の駆動によりバキューム部材１５が操作されるようになっている。この場合、ブラシ１５ｃとしては、複数の毛を根元で纏めて所定間隔で植設して多数点在させたブラシや、小さな刷毛が一方向に形成され一方向に擦ったときにゴミを取り他方向に擦ったときにゴミを取らない布状ブラシを使用することができる。
【００１７】
吸引パイプ１６はＵ字状部分１６ａに連続する他端部分は直軸１６ｂとなっており、フィルタ部材１４の裏側から突出した直軸１６ｂは第１空気通路となる空洞部１７の筒状の壁部１７ｂの筒内を挿通し、さらに筒状の壁部１７ｂの下部に設けた空気ダクト２２の一端２２ａを貫通して筺体３の底面３ａに固定された軸受２３に回転可能に支持されている。吸引パイプ１６の壁面には、空気ダクト２２を貫通する部分に孔１６ｃが設けられており、空気ダクト２２の内部では、吸引パイプ１６の壁面に設けられた孔１６ｃが露出し、空気ダクト２２は吸引パイプ１６の孔１６ｃによりバキューム部材１５の長穴１５ｂに連通する。
【００１８】
空気ダクト２２から突出した吸引パイプ１６にはプーリ２４が固定され、このプーリ２４はモータ２５のプーリ２６にベルトを介して連結され、モータ２５の作動により吸引パイプ１６の直軸１６ｂを回転させると、円形の網目フィルタ面１４ａの空気流入面に開口面１５ａが近接してバキューム部材１５が回転するように構成してある。
【００１９】
空気ダクト２２の他端２２ｂは第２空気通路となるリント捕集部２８に連通されている。リント捕集部２８は通気性部材で形成されており、リント捕集部２８の下流の空気出口２８ｃには切替え弁１８が配置されている。リント捕集部２８の空気出口２８ｃが開放されて空気通路２１に連通するのは、切替え弁１８がＱ側に設定されて空気出口１７ｃが遮断されているときである。
【００２０】
リント捕集部２８の前面に位置する筺体３の下部には開閉扉２８ａが設けられており、リント捕集部２８にはリント捕集袋２８ｂが配置されている。このリント捕集袋２８ｂは、周知の電気的手段、又は機械的手段により開閉扉２８ａを開けたときに自動的に排出可能とされている。
【００２１】
次に図７の回転ドラム式乾燥機１の作業工程図を参照して回転ドラム式乾燥機１の動作について説明する。回転ドラム式乾燥機１の回転ドラム５に洗濯された衣類を投入して駆動モータ１０により回転ドラム５を回転させ、乾燥工程を開始する。回転ドラム５が回転するときには、切替え弁１８は図示の実線で示すＰ側に設定されていて、リント捕集部２８の空気出口２８ｃを遮断し、空気出口１７ｃを開放している。この状態では、フィルタ部材１４の裏側の空洞部１７（第１空気通路）の空気出口１７ｃはファン２０の空気通路２１に連通し、ファンモータ１９が回転してファン２０が回転すると空気入口４ｂの上部のヒータ１１ａ，１１ｂからの熱い空気が空気入口４ｂから流入し、多数の貫通孔５ａ，５ａ，…から回転ドラム５を通過して空気出口４ｃから出た空気がフィルタ部材１４を通過し空洞部１７（第１空気通路）及び空気通路２１を通過して外部に排出される。
【００２２】
この乾燥工程では、ヒータ１１ａ，１１ｂからの熱い空気を多数の貫通孔５ａ，５ａ，…から回転ドラム５を通過させながら回転ドラム５を回転させて衣類の乾燥が行われ、フィルタ部材１４の網目フィルタ面１４ａの空気流入面で回転ドラム５内の綿ぼこりが除去されて網目フィルタ面１４ａの空気流入面に綿ぼこりが蓄積する。
【００２３】
そして、所定時間（７図では２０分）が経過して乾燥工程が終了すると、ファンモータ１９は回転を継続しファン２０は回転するが、駆動モータ１０は回転を停止して回転ドラム５は回転しなくなる。そして、ソレノイド３０の駆動により切替え弁１８は図示の一点鎖線で示すＱ側に設定されて、空気出口１７ｃを遮断し、リント捕集部２８の空気出口２８ｃを開放し、フィルタ部材１４による回転ドラム５内の綿ぼこりの除去は停止される。
【００２４】
また、モータ２５が回転し、網目フィルタ面１４ａの空気流入面に開口面１５ａが近接して配置されたバキューム部材１５が回転する。バキューム部材１５の吸引パイプ１６は空気ダクト２２及びリント捕集部２８（第１空気通路）と連通しているが、さらにリント捕集部２８空気出口２８ｃはファン２０の空気通路２１に連通し、ファン２０の回転により、空気入口４ｂの上部のヒータ１１ａ，１１ｂから熱い空気が流入して、バキューム部材１５の吸引パイプ１６は空気ダクト２２及びリント捕集部２８（第２空気通路）、空気通路２１を通過して外部に排出されるようになる。
【００２５】
そして、モータ２５が回転しリント回収工程が開始される。このリント回収工程では、網目フィルタ面１４ａの空気流入面に開口面１５ａが近接されたバキューム部材１５が回転しながら、網目フィルタ面１４ａの空気流入面に蓄積する綿ぼこりを吸引する。吸引された綿ぼこりを含む空気は、バキューム部材１５の吸引パイプ１６、空気ダクト２２を通過してリント捕集部２８に送られ、リント捕集袋２８ｂで綿ぼこりが捕集され、綿ぼこりの除去された空気は空気通路２１を通過して外部に排出される。
【００２６】
次に、図５に本発明に係る第２の実施の形態のリント除去装置の主な構造部分の断面図を示す。図５に示すリント除去装置は第１の実施の形態のリント除去装置の構造を一部変更したものであり、フィルタ部材５４の外周に環状に平歯車５１を設け、この平歯車５１を筒体５７の開口面に形成した環状のフランジによる樹脂レール５７ａ（又は環状のベアリング）の上に載置し、筒体５７の外部に固定したモータ５２の回転軸に取付けた駆動用平歯車５３を平歯車５１と噛み合わせて、フィルタ部材５４の円形の網目フィルタ面５４ａを回転させる。そして、フィルタ部材５４の円形の網目フィルタ面５４ａの空気流入面側に第１の実施の形態のリント除去装置で説明したバキューム部材１５と同様の構成を有し、円形の網目フィルタ面１４ａの直径の長さのバキューム部材５５の細長い開口面５５ａを網目フィルタ面５４ａの空気流入面側に近接して配置し、バキューム部材１５と同様に、バキューム部材５５の長穴５５ｂの底壁を貫通して吸引パイプ５６のＵ字状部分５６ａの先端を連結してある。バキューム部材５５の場合にはＵ字状部分５６ａに連続する直軸５６ｂは、固定のものであって回転せず、直軸５６ｂは空気ダクト２２に固定されて連通している。
【００２７】
第１の実施の形態のリント除去装置では、静止しているフィルタ部材１４の網目フィルタ面１４ａの空気流入面をバキューム部材１５の開口面が回転したのに対し、第２の実施の形態のリント除去装置では、バキューム部材５５の開口面を静止させてフィルタ部材５４の網目フィルタ面５４ａを回転させるように構成したものである。第２の実施の形態のリント除去装置は、第１の実施の形態のリント除去装置とバキューム部材の開口面をフィルタ部材の空気流入面に近接して相対移動可能に配置している構成は相違しているが、他の構成は同じであるので、その動作の説明は省略する。
【００２８】
次に、図６に本発明に係る第３の実施の形態のリント除去装置の主な構造部分の断面図を示す。図６に示すリント除去装置は第１の実施の形態のリント除去装置の構造を一部変更したものであり、バキューム部材１５と同様のバキューム部材６５の長穴６５ｂの底壁を貫通して吸引ホース６６の一端を連結し、他端を空気ダクト２２に連通させ、シリンダ６１の駆動軸６１ａにバキューム部材６５の端部を固定して、シリンダ６１の駆動軸６１ａの伸縮動作により、フィルタ部材１４の網目フィルタ面１４ａの空気流入面に近接してバキューム部材６５の開口面が平行移動するように構成したものである。
【００２９】
第３の実施の形態のリント除去装置は、第１の実施の形態のリント除去装置とバキューム部材の開口面をフィルタ部材の空気流入面に近接して相対移動可能に配置している構成で、バキューム部材６５の開口面が平行移動する点が相違しているが、他の構成は同じであるので、その動作の説明は省略する。
【００３０】
【発明の効果】
以上説明したように、本発明のリント除去装置では、回転ドラム内の綿ぼこりをフィルタ部材で除去する動作と、フィルタ部材で除去した綿ぼこりをバキューム部材で吸引する動作が時間をずらせて別々に行われるため、バキューム部材の吸引が無力化されることは無くなり、フィルタ部材に付着している綿ぼこりの吸引が十分になされる等、優れた効果を奏する。
【図面の簡単な説明】
【図１】第１の実施の形態のリント除去装置が組込まれた回転ドラム式乾燥機の正面図である。
【図２】図１のＡ−Ａ線での断面図である。
【図３】図１のＢ−Ｂ線での断面図である。
【図４】図２のバキューム部材を拡大した概略図である。
【図５】第２の実施の形態のリント除去装置の主な構造部分の断面図である。
【図６】第３の実施の形態のリント除去装置の主な構造部分の断面図である。
【図７】回転ドラム式乾燥機の作業工程図である。
【符号の説明】
１　回転ドラム式乾燥機
２　開閉蓋
２ａ　円形の窓
３　筺体
３ａ，３ｂ　開閉扉
４　外胴フレーム
４ａ　外胴部
４ｂ　空気入口
４ｃ　空気出口
５　回転ドラム
５ａ，５ａ，…　貫通孔
５ｂ，９　軸
６　投入口
７　軸受け部材
７ａ，７ｂ　軸受け部
８，９ａ，９ｂ，１０ａ，２４，２６　プーリ
１０　駆動モータ
１１ａ，１１ｂ　ヒータ
１２，１３　仕切り部材
１３ａ　円孔
１４，５４　フィルタ部材
１４ａ，５４ａ　網目フィルタ面
１５，５５，６５　バキューム部材
１５ａ，５５ａ　開口面
１５ｂ，５５ｂ，６５ｂ　長穴
１５ｃ　ブラシ
１６，５６　吸引パイプ
１６ａ，５６ａ　Ｕ字状部分
１６ｂ，５６ｂ　直軸
１６ｃ　孔
１７　空洞部
１７ｂ　筒状の壁部
１７ｃ　空気出口
１８　切替え弁
１９　ファンモータ
２０　ファン
２１　空気通路
２２　空気ダクト
２２ａ　空気ダクトの一端
２２ｂ　空気ダクトの他端
２３　軸受
２５　モータ
２８　リント捕集部
２８ａ　開閉扉
２８ｂ　リント捕集袋
２８ｃ　リント捕集部の空気出口
３０　ソレノイド
５１　平歯車
５２　モータ
５３　駆動用平歯車
６１　シリンダ
６６　吸引ホース
【図１】
2004081717.tif 000003
【図２】
2004081717.tif 000004
【図３】
2004081717.tif 000005
【図４】
2004081717.tif 000006
【図５】
2004081717.tif 000007
【図６】
2004081717.tif 000008
【図７】
2004081717.tif 000009